(57)【要約】【課題】操作盤のカバーを作業中における前記工具や材料等の一時的な保管場所として使用可能とすることにより、作業台上における作業性の向上が図れる高所作業車の操作盤を提供する。【解決手段】作業台における旋回車体側に操作盤９が設置される。操作盤９は操作盤本体９ａの上面に操作手段９ｂを配設してなる。操作盤９には、操作盤本体９ａの上部の前記旋回車体側に枢着された片面開口のボックス型カバー１０を備える。カバー１０は、高所作業車の不使用時には前記操作盤９の上面を覆う。高所作業車の使用時にはカバー１０は旋回車体側に開いて開口面を上向きとし、物入れとして使用可能とする。【選択図】      図２
2004224465.tif 000002
【特許請求の範囲】
【請求項１】
高所作業車の旋回車体にブームが取付けられ、前記ブームの先端に作業台が取付けられた高所作業車において、
前記作業台における旋回車体側に操作盤が設置され、
前記操作盤は操作盤本体上面に操作手段を配設してなり、
前記操作盤には、操作盤本体の上部の前記旋回車体側に枢着された片面開口のボックス型カバーを備え、
前記カバーは、高所作業車の不使用時には開口面を下向きにして前記操作盤上面を覆い、高所作業車の使用時には前記旋回車体側に開いて開口面を上向きにし、物入れとして使用可能にしたことを特徴とする高所作業車の操作盤。
【請求項２】
請求項１に記載の高所作業車の操作盤において、
前記操作盤本体の旋回車体側に、前記カバーを開いた際にカバーを支持する支持体を設けたことを特徴とする高所作業車の操作盤。
【発明の詳細な説明】
【０００１】
【発明の属する技術分野】
本発明は、高所作業車の旋回車体にブームが取付けられ、前記ブームの先端に作業台が取付けられた高所作業車の操作盤に係り、特に操作盤の上面を覆うカバーに関する。
【０００２】
【従来の技術】
高所作業車においては、伸縮ブームの先端に取付けられる作業台に操作盤が設置され、作業台に乗る作業員が前記操作盤上の操作レバーや操作スイッチ等の操作手段を操作して走行、旋回車体の旋回、伸縮ブームの起伏、伸縮等を行うように構成される。このような操作盤には、その上面の操作手段の保護や汚れ防止のために上面を覆うカバーが取付けられる（特許文献１参照。）。
【０００３】
特許文献１においては、前記カバーは、高所作業車の使用時には、操作盤の後側（旋回車体側）に立て掛ける構造としている。
【０００４】
【特許文献１】
実開昭５９−１８７９９号公報。
【０００５】
【発明が解決しようとする課題】
高所作業車を用いて行う作業は、建物の壁面等の塗装や各種部材のボルト、ナットによる締結作業、溶接作業等があり、溶接用塗料やハケ、締結用スパナ、ドライバ、ボルト、ナット等の工具や建築材料、溶接用工具や材料等を作業台上に載せておく必要がある。従来はこれらの工具、材料等を作業台の床上に載置している。このため、従来はこれらの工具、材料が必要になるたびごとに作業員がかがんでこれらの工具、材料等を取り上げたり、元に戻している。このため、作業性が悪いという問題点がある。
【０００６】
本発明は、前記操作盤のカバーを作業中における前記工具、材料等の一時的な保管場所として使用可能とすることにより、作業台上における作業性の向上が図れる高所作業車の操作盤を提供することを目的とする。
【０００７】
【課題を解決するための手段】
（１）本発明の高所作業車の操作盤は、高所作業車の旋回車体にブームが取付けられ、前記ブームの先端に作業台が取付けられた高所作業車において、
前記作業台における旋回車体側に操作盤が設置され、
前記操作盤は操作盤本体上面に操作手段を配設してなり、
前記操作盤には、操作盤本体の上部の前記旋回車体側に枢着された片面開口のボックス型カバーを備え、
前記カバーは、高所作業車の不使用時には開口面を下向きにして前記操作盤上面を覆い、高所作業車の使用時には前記旋回車体側に開いて開口面を上向きにし、物入れとして使用可能にしたことを特徴とする。
【０００８】
（２）また、本発明による高所作業車の操作盤において、
前記操作盤本体の旋回車体側には、前記カバーを開いた際にカバーを支持する支持体を設けることが好ましい。
【０００９】
【発明の実施の形態】
図１は本発明による操作盤の適用例を示す高所作業車の側面図である。図１において、１は走行体、２はその走行体１上に旋回装置３を介して設置された旋回車体、４は該旋回車体３に起伏シリンダ５により起伏自在に取付けられた伸縮ブーム、６は該伸縮ブーム４の先端にレベルシリンダ７により水平姿勢を保持するように、旋回装置８を介して取付けられた作業台であり、旋回装置８は設けない場合もあり、また、伸縮ブーム４と作業台６との間に多関節アームを取付ける場合もある。また、伸縮ブーム４の代えて、多関節形のブームを用いる場合もある。９は作業台６の手すり６ａの前記旋回車体２側（後側）に設置された操作盤である。作業台６には手すり６ａを設けず、ボックス型に構成することもある。１０は操作盤９のカバーである。
【００１０】
図２（Ａ）、（Ｂ）は前記カバー１０の取付け構造を示す図である。これらの図に示すように、カバー１０は操作盤本体９ａの上部の前記旋回車体２側に設けた蝶番１１により、回動自在に取付けられる。前記カバー１０は、片面開口のボックス型をなし、高所作業車の不使用時には、図２（Ａ）に示すように、開口面を下にして前方に倒すことにより、該カバー１０で操作盤本体９ａ上の操作レバーや操作スイッチ等の操作手段９ｂが取付けられた操作盤本体９ａの上面を覆う。この状態では、カバー１０の反枢着側に設けた固定用穴１２を、操作盤本体９ａに設けた弾性的係止手段である係止具１３に押し嵌めすることにより固定される。
【００１１】
図２（Ｂ）に示すように、高所作業車の使用時には、前記カバー１０を開き、カバー１０の天板１０ａを下にし、開口面を上向きにする。この時、操作盤本体９ａの背面に設けた板状あるいは枠状の支持体１４によりカバー１０を支持する。
【００１２】
このようにカバー１０を開いた状態では、カバー１０は溶接用塗料やハケ、締結用スパナ、ドライバ、ボルト、ナット等の工具や建築材料、溶接用工具や材料等を一時入れておく物置として使用できる。このため、作業員は、これらの工具、材料等を作業台の床に置いておく場合のように、腰を曲げてこれらを取ったり置いたりする必要がなくなり、作業性が向上する。なお、塗料によるペンキ塗りを行う場合には、重量の大きいタンクを作業台６の床に置いておき、塗料を小分けした缶をカバー１０内に置いておくことにより、作業性が向上する。また、このようにカバー１０に工具や材料等を置いておくことが可能になるので、作業台６の床に置いておくものが少なくあるいは無くなるため、作業台６を広く使用することができ、この点でも作業性の向上に寄与することができる。
【００１３】
本発明を実施する場合、支持体１４は必ずしも必要ではないが、該支持体１４を設けることによってより大きな荷重をカバー１０で受けることができ、比較的重いものでもカバー１０に入れておくことができ、また、カバー１０や蝶番１１の変形、損傷を防止することができる。
【００１４】
【発明の効果】
本発明によれば、カバーを開いた状態ではカバーを物入れとして使用することができるように構成したので、作業に必要な工具や材料等をカバーに入れておくことができ、これらのものを取ったり置いたりするたびに腰を曲げる必要が無くなる上、作業台を広く使えるので、作業性が向上する。
【００１５】
また、操作盤本体にカバーの支持体を取付けてカバーが開いた状態でこれを支持するようにすれば、カバーにより重量のあるものを入れておくことができ、また、カバーやその枢着部の損傷を防止できる。
【図面の簡単な説明】
【図１】本発明による操作盤の適用例を示す高所作業車の側面図である。
【図２】本発明の操作盤の一実施の形態を示すものであり、（Ａ）はカバーで操作盤の上面を覆った状態を示す一部切開側面図、（Ｂ）はカバーを開いた状態を示す斜視図である。
【符号の説明】
１：走行体、２：旋回車体、３：旋回装置、４：伸縮ブーム、５：起伏シリンダ、６：作業台、６ａ：手すり、７：レベルシリンダ、８：旋回装置、９：操作盤、９ａ：操作盤本体、９ｂ：操作手段、１０：カバー、１０ａ：天板、１１：蝶番、１２：固定用穴、１３：係止具、１４：支持体
【図１】
2004224465.tif 000003
【図２】
2004224465.tif 000004